(57)【要約】【課題】  キャッピング中のノズルの湿潤状態を制御して、ヘッドの維持回復動作を低減し吐出液の消費を低減した液滴吐出装置の提供。【解決手段】  ノズルの維持回復動作が可能であり、印刷終了時に、キャップ３ａ，ｂがヘッド２ａ，ｂのノズル面を覆っていなかった時間（以下、デキャップ時間という。）が第１の所定時間を超えていたら、前記ヘッド内の吐出液をキャップ内に排出（以下、吐出液排出操作という。）し、前記デキャップ時間の測定開始時（以下、基準時という。）は、直近の印刷時における吐出液排出操作終了時とし、前記吐出液排出操作終了時に、前記基準時からの経過時間が、第２の所定時間以内であり、且つ前記経過時間中に維持回復動作で前記キャップ中に排出した吐出液の排出量が、所定量を超えていた場合は、前記基準時を前記印刷終了時とすることを特徴とする液滴吐出装置１である。【選択図】  図３
2010076204.tif 000002
【特許請求の範囲】
【請求項１】
ノズルから液滴を吐出するヘッドと、
前記ヘッドを搭載し走査方向に移動するキャリッジと、
前記ヘッドの液滴吐出動作休止時に前記ノズル面を覆うキャップ（以下、キャッピングという。）と、
前記キャップを介して前記ヘッドから吐出液を吸引する吸引装置と
を備えた液滴吐出装置であって、
ノズルの液滴吐出状態を正常に保つために、前記ヘッド内の吐出液の前記キャップ内への排出（以下、維持回復動作という。）が可能であり、
印刷終了までの間で、前記ヘッドをキャッピングしていなかった時間（以下、デキャップ時間という。）が第１の所定時間以上であったときは、印刷終了時にキャッピングすると伴に前記ヘッド内の吐出液を前記キャップ内に排出（以下、吐出液排出操作という。）し、
前記デキャップ時間の測定開始時（以下、基準時という。）は、前回の吐出液排出操作終了時とし、
前記デキャップ時間が第１の所定時間未満であり、前記基準時から印刷終了時までの経過時間が第２の所定時間未満であり、且つ前記経過時間中に前記キャップ中に排出した吐出液が所定量以上であった場合は、前記基準時を前記印刷終了時とすることを特徴とする液滴吐出装置。
【請求項２】
前記吐出液の所定量は、前記吐出液排出操作において前記キャップ内に排出する吐出液の排出量と略同じであることを特徴とする請求項１に記載の液滴吐出装置。
【請求項３】
ノズルから液滴を吐出するヘッドと、
前記ヘッドを搭載し走査方向に移動するキャリッジと、
前記ヘッドの液滴吐出動作休止時に前記ノズル面を覆うキャップ（以下、キャッピングという。）と、
前記キャップを介して前記ヘッドから吐出液を吸引する吸引装置と
を備えた液滴吐出装置であって、
ノズルの液滴吐出状態を正常に保つために、前記ヘッド内の吐出液の前記キャップ内への排出（以下、維持回復動作という。）が可能であり、
印刷終了までの間で、前記ヘッドをキャッピングしていなかった時間（以下、デキャップ時間という。）が第１の所定時間以上であったときは、印刷終了時にキャッピングすると伴に前記ヘッド内の吐出液を前記キャップ内に排出（以下、吐出液排出操作という。）し、
前記デキャップ時間の測定開始時（以下、基準時という。）は、前回の吐出液排出操作終了時とし、
前記デキャップ時間が第１の所定時間未満であり、前記基準時から印刷終了時までの経過時間が第２の所定時間未満であり、且つ前記経過時間中に前記ヘッドから前記キャップ中に吐出液を排出した排出回数が所定回数以上であった場合は、前記基準時を前記印刷終了時とすることを特徴とする液滴吐出装置。
【請求項４】
前記キャップは、排出された吐出液を保持する吐出液保持材を備えることを特徴とする請求項１〜３のいずれか一項に記載の液滴吐出装置。
【請求項５】
前記ヘッドを複数備え、それぞれのヘッドに対応してキャップを備えていることを特徴とする請求項１〜４のいずれか一項に記載の液滴吐出装置。
【請求項６】
前記複数のキャップのうち、少なくともひとつは前記吸引装置と連結していることを特徴とする請求項５に記載の液滴吐出装置。
【請求項７】
前記第１の所定時間、前記第２の所定時間、並びに前記吐出液の所定量又は前記吐出液を排出する所定回数は、それぞれヘッド毎に設定されることを特徴とする請求項１〜６のいずれか一項に記載の液滴吐出装置。
【請求項８】
前記第１の所定時間、前記第２の所定時間、並びに前記吐出液の所定量又は前記吐出液を排出する所定回数は、それぞれキャップ毎に設定されることを特徴とする請求項１〜７のいずれか一項に記載の液滴吐出装置。
【請求項９】
前記第２の所定時間、並びに前記吐出液の所定量又は吐出液排出の前記所定回数は、前記経過時間中の温度及び／又は湿度に応じて設定されることを特徴とする請求項１〜８のいずれか一項に記載の液滴吐出装置。
【請求項１０】
前記ノズル面を清掃するワイパーブレードを備えることを特徴とする請求項１〜９のいずれか一項に記載の液滴吐出装置。
【請求項１１】
請求項１〜１０のいずれか一項に記載の液滴吐出装置を備えたことを特徴とする画像形成装置。
【発明の詳細な説明】
【技術分野】
【０００１】
本発明は、液滴吐出装置及び画像形成装置に関する。
【背景技術】
【０００２】
液滴吐出装置は、例えば、プリンタ、ファクシミリ、複写装置等のインクジェット方式の画像形成装置の画像形成部として利用されている。インクジェット方式の画像形成装置は、ヘッド（記録ヘッド）から記録紙等の記録媒体にインク滴を吐出して画像形成（印写、印字、印刷などともいう。）を行うものであり、高速で精細なカラー画像を形成することが容易で、小型で騒音が少なく、且つ、低コストであるなどの利点を有している。
【０００３】
画像形成装置用の液滴吐出装置（以下、液滴吐出装置と略称する。）の吐出液（以下、吐出液の代表例としてインクで説明する。）は、インク吐出の信頼性向上のために、粘度の上昇を極力押さえる方向で検討されていた。しかし、最近の液滴吐出装置は、画像の高画質化及び高速印刷のためにインクを小滴化する傾向にあり、そのためにはヘッドのノズル径も小径化される方向にある。この場合、液滴吐出装置のヘッドからの吐出安定性が問題となる。ヘッドの吐出安定性を確保するためには高粘度のインクを使用する必要があり、粘度の高いインクで高速印刷かつ高品位な画像を確保するには、インクそのものの品質安定性を確保することが必要である。
【０００４】
上述のように、粘度の安定性はインクの品質安定性のうちでも重要な要素である。ヘッドのノズル部でインクの粘度が変化すると、ノズルからのインク吐出の性能に直接影響する。一般に、ノズル部でインクから水分が蒸発することによりインクの粘度が上昇し、インク吐出が不良になることが多い。この為、印刷開始前にインクの空吐出をして、増粘したインクを排出した後に印刷を実行する液滴吐出装置が多い。
【０００５】
最近の高性能の液滴吐出装置においては、印刷中のヘッドの信頼性を確保するための維持回復動作が不可欠である。維持回復動作は、ノズル孔付近で乾燥により粘度が上昇したインクを排出したり、ノズル孔周辺に付着した増粘あるいは乾燥したインクやほこり、ごみなどの異物を除去したり、ノズルの内部での気泡発生などによりエアーダンパー現象が発生するなどして、正常なインク吐出ができなくなることを防止したりする。このため、維持回復機構は、ヘッドのノズル面を密閉するキャップ、キャップ内に連通しノズルからヘッド内のインクを吸引する吸引ポンプ、ゴムなどの弾性部材を用いてノズル面をワイピングするワイパーブレード、ヘッドから空吐出したインクを受容する空吐出受けなどから構成されている。
【０００６】
維持回復動作については、すでに一般化しているが、図８を参照して、液滴吐出装置の維持回復動作に注目した印刷動作を説明する。通常、液滴吐出装置のヘッドは、印刷待機状態では、すべてキャップで覆われている。そして、液滴吐出装置は、印刷命令を受ける（ステップＳ１０１）と、まず維持回復動作をする（ステップＳ１０２）。この最初の維持回復動作は、キャップ内での空吐出の場合が多い、しかし、休止期間が長い場合は、ヘッド内のインクの粘度上昇が大きいと考え吸引装置による吸引を行うこともある。吸引動作は専用の吸引キャップを備えた吸引装置で実施することが多い。また、従来の液滴吐出装置においては、印刷休止時にヘッドを覆っておくキャップと印刷中の維持回復動作のための空吐出受けとは異なっていることが多い。
【０００７】
そして、本来の目的である印刷動作に入る（ステップＳ１０３）。印刷動作中に所定の維持回復条件に達する（ステップＳ１０４のＹ）と、印刷を中断してヘッドの維持回復動作（ステップＳ１０２）を行う。この維持回復動作においても空吐出の場合と、吸引動作の場合がある。これらの動作は専用の維持回復装置により行う。さらに、ワイパーブレードによるノズル周辺の清掃を含む場合もある。これらの維持回復動作は、ステップＳ１０４における維持回復条件の中に複数の条件が設定されていることで選択できる。なお、維持回復条件とは、例えば、前回の維持回復動作からの印刷継続時間やインク吐出量などが挙げられる。
【０００８】
維持回復動作が終了したら、又印刷を続け、印刷終了に至るまで、維持回復動作を挟みながら印刷を継続する（ステップＳ１０４のＮ）（ステップＳ１０５のＮ）。
【０００９】
印刷終了になったら（ステップＳ１０５のＹ）、ヘッドにキャッピング（保湿用のキャップでヘッドを覆っておくこと）をして（ステップＳ１０６）、液滴吐出装置は待機状態とする（ステップＳ１０７）。なお、キャッピング前に、維持回復動作をしてからキャッピングしてもよい。この場合は、ワイパーブレードによるワイピングを含む維持回復動作が好ましい。
【００１０】
維持回復動作において、ヘッドのインク吐出性能を維持するために、維持回復動作をしすぎると、維持回復動作に時間を取られ印刷時間が制限されたり、インクの消費量が増加したりするという問題がある。そこで、特許文献１には、ヘッドがキャップにより覆われていない時間（デキャップ時間）に基づいて、複数の維持回復動作を状況に応じて段階的に実施し、インク消費の低減とインク吐出の信頼性を両立させるインクジェット記録装置が開示されている。
【００１１】
特許文献２には、ヘッドのインク吐出性能に影響が大きいと考えられる要素、例えば、ヘッドが前回インク吐出してからの時間、前回吸引ポンプにより吸引が行われてからの時間、キャップによりノズル面が覆われてからの時間等の組合せに応じて、維持回復機構による維持回復動作を選択するインクジェット記録装置が開示されている。ヘッドのインク吐出に影響を及ぼさないようなときには、電源オン（印刷開始）に伴う維持回復動作を行なわないようにしてインクを節約し、印刷速度の低下や排出インクの増加等によるランニングコストの低減を図ったインクジェット記録装置が開示されている。
【００１２】
これらのインクジェット記録装置においては、印刷中のヘッドのインク吐出性能の維持回復という面からは優れた効果を発揮できる。しかし、これらのインクジェット記録装置においては、印刷休止、すなわちヘッドがキャップで覆われている（キャッピングされている）ときの吐出性能の変化には注意が払われていない。本来、ヘッドのキャッピングはノズル面へのホコリの付着や、ノズル面やノズル部のインクの乾燥を防ぐためのものであるが、長時間キャッピングが続いたり、インクの性質によりキャッピング中に乾燥し増粘し易くなったりする液滴吐出装置もある。
【００１３】
特許文献３には、所定状態にあるヘッドがキャッピングされていない状態（デキャッピング状態）の累積時間だけでなく、キャッピング状態の累積時間が、それぞれ所定時間以上になった際に維持回復動作を行うインクジェット方式の画像形成装置が開示されている。この画像形成装置は、印刷中（ヘッドのデキャッピング中）だけでなく、キャップの乾燥によるヘッドのキャッピング中における乾燥にも対応することを目的としている。特に、この画像形成装置は、キャップ内に残留し、一部乾燥しているインクが、キャッピング中のノズル内のインクの水分を吸収してノズルの吐出不良を起こすことを防止する目的を持っている。
【特許文献１】特開２００４−１６０８０３号公報
【特許文献２】特許第２８７７９７１号公報
【特許文献３】特開２００６−１５９７１７号公報
【発明の開示】
【発明が解決しようとする課題】
【００１４】
特許文献１に記載のインクジェット記録装置においては、ノズル内のインクの吐出不良は、印刷中に起こることを前提にしており、印刷開始時にノズルの維持回復動作をしておき、印刷中のインク吐出不良の要素を勘案して維持回復動作を繰り返していけば、ヘッドは順調に作動するとしている。また、特許文献２，３に記載の画像形成装置においては、キャッピング中（印刷休止中）の時間も勘案して維持回復動作を実施している。特に、特許文献３に記載の画像形成装置は、キャップ内の湿潤状態を維持するための維持回復動作も含んでいる。
【００１５】
これらの装置は、ノズルの吐出状態を正常に保つという点からは、好適な液滴吐出装置を備えている。しかし、ノズルの吐出状態を正常に保ちながら、さらにインクの消費節約を考えるとき、まだ改善の余地がある。すなわち、キャップ内の湿潤状態により、キャッピングされているノズル中のインクの乾燥、増粘の程度は異なるが、特許文献３に記載の画像形成装置においても、これらの要素まで考慮していない。
【００１６】
本発明の目的は、上記課題を踏まえ、キャッピング中のノズルの湿潤状態を制御して、ヘッドを正常状態に維持すると伴に、吐出液の消費を低減した液滴吐出装置、及びこれを備えた画像形成装置を提供することである。
【課題を解決するための手段】
【００１７】
本発明は、ノズルから液滴を吐出するヘッドと、前記ヘッドを搭載し走査方向に移動するキャリッジと、前記ヘッドの液滴吐出動作休止時に前記ノズル面を覆うキャップ（以下、キャッピングという。）と、前記キャップを介して前記ヘッドから吐出液を吸引する吸引装置とを備えた液滴吐出装置であって、ノズルの液滴吐出状態を正常に保つために、前記ヘッド内の吐出液の前記キャップ内への排出（以下、維持回復動作という。）が可能であり、印刷終了までの間で、前記ヘッドをキャッピングしていなかった時間（以下、デキャップ時間という。）が第１の所定時間以上であったときは、印刷終了時にキャッピングすると伴に前記ヘッド内の吐出液を前記キャップ内に排出（以下、吐出液排出操作という。）し、
前記デキャップ時間の測定開始時（以下、基準時という。）は、前回の吐出液排出操作終了時とし、前記デキャップ時間が第１の所定時間未満であり、前記基準時から印刷終了時までの経過時間が第２の所定時間未満であり、且つ前記経過時間中に前記キャップ中に排出した吐出液が所定量以上であった場合は、前記基準時を前記印刷終了時とすることを特徴とする液滴吐出装置である。
【００１８】
この液滴吐出装置は、前回キャップに吐出液を排出してからの印刷中のヘッドのデキャップ時間、これにキャッピング時間を含めた経過時間、印刷中のキャップへの吐出液の排出量に応じて、印刷終了時にキャップ中に吐出液を排出したり、排出しなかったり、さらに、吐出液を排出しないけれどもキャップの状態は吐出液排出と同等の状態とみなして次の印刷に備えてデキャップ時間等をリセットしたり、吐出液を排出しないけれどもキャップの状態は吐出液排出時とは異なっているのでデキャップ時間をリセットしないで待機させ、次の印刷時にはこれを加味してキャップ中への吐出液の排出の判断をすることができるようにしたりすることができる。このように印刷終了時のキャップへの吐出液排出を緻密に制御することで、印刷終了時のキャップへの吐出液排出を最小限抑えることができ、吐出液の消費を押さえながら、ヘッドの乾燥による吐出不良の防止をしている。
【００１９】
好ましい本発明は、前記吐出液の所定量は、前記吐出液排出操作において、前記キャップ内に排出する吐出液の排出量と略同じであることを特徴とする前記液滴吐出装置である。
【００２０】
この液滴吐出装置は、吐出液を排出しないでキャッピングする場合に、デキャップ時間をリセットするかどうかの具体的判定基準を明確にして、ヘッドの吐出不良の防止と吐出液の消費の低減を図っている。前記吐出液の所定量が、吐出液排出操作において、キャップ内に排出する吐出液の排出量と略同じであるということは、印刷中に維持回復動作によってキャップ内に、すでに吐出液排出操作によってキャップを湿潤させる量の吐出液が排出されているので、それ以上吐出液排出操作によってキャップを湿潤させる必要がないと判断できる。
【００２１】
本発明は、ノズルから液滴を吐出するヘッドと、前記ヘッドを搭載し走査方向に移動するキャリッジと、前記ヘッドの液滴吐出動作休止時に前記ノズル面を覆うキャップ（以下、キャッピングという。）と、前記キャップを介して前記ヘッドから吐出液を吸引する吸引装置とを備えた液滴吐出装置であって、ノズルの液滴吐出状態を正常に保つために、前記ヘッド内の吐出液の前記キャップ内への排出（以下、維持回復動作という。）が可能であり、印刷終了までの間で、前記ヘッドをキャッピングしていなかった時間（以下、デキャップ時間という。）が第１の所定時間以上であったときは、印刷終了時にキャッピングすると伴に前記ヘッド内の吐出液を前記キャップ内に排出（以下、吐出液排出操作という。）し、
前記デキャップ時間の測定開始時（以下、基準時という。）は、前回の吐出液排出操作終了時とし、前記デキャップ時間が第１の所定時間未満であり、前記基準時から印刷終了時までの経過時間が第２の所定時間未満であり、且つ前記経過時間中に前記ヘッドから前記キャップ中に吐出液を排出した排出回数が所定回数以上であった場合は、前記基準時を前記印刷終了時とすることを特徴とする液滴吐出装置である。
【００２２】
この液滴吐出装置は、維持回復動作における１回のキャップ内への吐出液の排出量が分かっていれば、維持回復動作におけるキャップ内への吐出液の排出回数（空吐出や吸引動作の回数）を計測することで、排出吐出液量に替えているので、上述の液滴吐出装置と同じ効果があるが、排出回数というより計測の簡単な構成で目的を達成できる。
【００２３】
好ましい本発明は、前記キャップは、排出された吐出液を保持する吐出液保持材を備えることを特徴とする前記液滴吐出装置である。
【００２４】
この液滴吐出装置は、キャップ内に吐出液保持材を備えることにより、キャップ内により多くの吐出液を保持し、長期間湿潤状態を保つことができる。
【００２５】
好ましい本発明は、前記ヘッドを複数備え、それぞれのヘッドに対応してキャップを備えていることを特徴とする前記液滴吐出装置である。
【００２６】
この液滴吐出装置は、インクの種類や使用頻度に対応しやすく、ヘッド毎、キャップ毎に制御が可能となる。
【００２７】
好ましい本発明は、前記複数のキャップのうち、ひとつは前記吸引装置と連結していることを特徴とする前記液滴吐出装置である。
【００２８】
この液滴吐出装置は、維持回復動作のうち吸引動作も吸引用専用の吸引用キャップを使用しなくてもよく、装置の小型化簡略化が可能になる。
【００２９】
好ましい本発明は、前記第１の所定時間、前記第２の所定時間、並びに前記吐出液の所定量又は吐出液排出の前記所定回数は、それぞれヘッド毎に設定されることを特徴とする前記液滴吐出装置である。
【００３０】
この液滴吐出装置は、一つひとつのヘッドをきめ細かく制御でき、吐出トラブルの防止と吐出液の節約が容易になる。特に、吐出液の質や使用量が異なる場合に好適である。
【００３１】
好ましい本発明は、前記第１の所定時間、前記第２の所定時間、並びに前記吐出液の所定量又は吐出液排出の前記所定回数は、それぞれキャップ毎に設定されることを特徴とする前記液滴吐出装置である。
【００３２】
この液滴吐出装置は、一つひとつのキャップをきめ細かく制御でき、吐出トラブルの防止と吐出液の節約が容易になる。特に、吐出液の質や使用量が異なる場合に好適である。
【００３３】
好ましい本発明は、前記第２の所定時間、並びに前記吐出液の所定量又は吐出液排出の前記所定回数は、前記経過時間中の温度及び／又は湿度に応じて設定されることを特徴とする前記液滴吐出装置である。
【００３４】
この液滴吐出装置は、キャップ中の吐出液の蒸発に大きく影響する温度、及び／又は湿度の影響を除去することができる。
【００３５】
好ましい本発明は、前記ノズル面を清掃するワイパーブレードを備えることを特徴とする前記液滴吐出装置である。
【００３６】
この液滴吐出装置は、ヘッドの維持回復に好適なワイパーブレードを備えることで、吐出トラブルの防止に寄与する。
【００３７】
本発明は、前記液滴吐出装置のうちいずれかを備えたことを特徴とする画像形成装置である。
【００３８】
この画像形成装置は、上述の液滴吐出装置の特徴を備えた画像形成装置である。
【発明の効果】
【００３９】
本発明によれば、キャッピング中のノズルの湿潤状態を制御して、ヘッドを正常状態に維持すると伴に、吐出液の消費を低減した液滴吐出装置、及びこれを備えた画像形成装置を提供することができる。
【発明を実施するための最良の形態】
【００４０】
本発明の液滴吐出装置を備えた画像形成装置の例について、図１を参照して簡単に説明する。図１は、主に本発明の液滴吐出装置を表した本発明の画像形成装置の要部説明図である。図１に示すように、この画像形成装置は、記録紙等の記録媒体が搬送されるプラテンの真上に、記録媒体の搬送方向（副走査方向）に直角な水平方向に（主走査方向）に移動可能なキャリッジ２にヘッドが搭載されている。キャリッジ２は、ガイドロッドに支持されて主走査方向に移動可能で、記録媒体の幅方向である印刷領域、その外側に配置された維持回復装置３の上部領域、及び場合によっては印刷領域を挟んで反対側になる空吐出装置５の配置されている領域まで移動（走査）できる。なお、この画像形成装置においては、この空吐出装置５も維持回復装置の一部としてもよいが、キャップが空吐出装置を兼ねることができるので設置する必要はない。この画像形成装置のうち、本発明の液滴吐出装置となる部分は、キャリッジ２上のヘッド、及び維持回復装置３である。なお、廃液タンク４、及び空吐出装置５は維持回復装置３の一部である。
【００４１】
図２は、２ヘッドタイプの本発明の液滴吐出装置の模式図である。図２においては、ヘッド２ａ，２ｂはキャリッジにより維持回復装置３の真上に走査されており、キャップ３ａ，３ｂがそれぞれヘッド２ａ，２ｂの下部のノズル面を覆って（キャッピングして）いる。ヘッド２ａ，２ｂのノズル面とキャップ３ａ，３ｂは密着しており、キャッピング中は、ノズル面はほとんど外気に曝されることがない。
【００４２】
キャップ３ａ，３ｂの内部には、それぞれ吐出液保持材７ａ，７ｂを備えている。吐出液保持材７ａ，７ｂは、必ずしも備える必要はないが、キャップ内に排出された吐出液をできるだけ多くキャップ内に保持し、長期間キャップ内を湿潤状態に保つために有効である。吐出液保持材７ａ，７ｂは、排出された吐出液をできるだけ多く保持していることが好ましいので、キャップ３ａ，３ｂの下部全体に配置されていることが望ましい。吐出液保持材７ａ，７ｂの素材としては、スポンジのような通気性のある多孔質物質や、布、不織布、綿、紙、のように繊維質の材料で作った厚手のフィルターのような板状体、素焼きや金属粒の焼結体、吸湿性の大きい合成繊維などを用いればよい。
【００４３】
キャップ３ａ，３ｂの下部には、キャップ内に排出された過剰の吐出液を廃棄する吐出液排出路８ａ，８ｂが設置されている。通常、吐出液排出路８ａ，８ｂは、可撓性のチューブで作製されている。そして、吐出液排出路８ａ，８ｂは、廃液タンク４と連通している。キャップ３ａ，３ｂは、ヘッド２ａ，２ｂと密着したり、離間したりするために、上下に移動する構造になっている。キャップ３ａ，３ｂが上下に移動しても、吐出液排出路８ａ，８ｂが可撓性のチューブで作製されていれば、廃液タンク４を移動させないで追随することができる。
【００４４】
吐出液排出路８ａ，８ｂのうち、少なくとも一つ（図２においては、吐出液排出路８ａ）は吸引ポンプ６と連結しており、吸引ポンプ６を作動させることにより、キャップ３ａと密着しているヘッド２ａから吐出液を吸引することができる。この動作により、ヘッド２ａ内に滞留している増粘した吐出液や吐出液中に発生した粒子などを吸引することができる。なお、図示した吸引ポンプ６は、吐出液排出路８ａの一部を利用した蠕動ポンプ、チューブポンプなどと呼ばれるポンプであるが、本発明においては、キャップ中の空気や吐出液を吸引できる吸引手段であればどのような形式のポンプでもよい。
【００４５】
吐出液排出路８ａと連結しているキャップ３ａは、ヘッドの維持回復動作のうち吸引動作を受け持つが、空吐出受けとしての機能も持っている。吐出液排出路８ｂと連結しているキャップ３ｂは、ヘッドの維持回復動作のうち空吐出受けとしての機能のみを持っている。通常、印刷中のヘッドの維持回復動作は空吐出のみで十分であり、維持回復動作のうち空吐出動作の方が多い。空吐出動作の場合は、キャップに吐出された吐出液（インクということがある。）が吐出液排出路から吸引されないので、吐出液保持材に保持されやすく、吸引動作に較べキャップ内を長期間湿潤状態に保つことができる。
【００４６】
この維持回復装置３には、図示していないが、ノズル面などヘッドのノズル周辺を清掃するワイパーブレードを備えていることが好ましい。ワイハーブレードは、従来から知られている形式のゴム製などのものを用いればよく、ワイピングしたインクを収容して廃液タンク４に導入するインク受けを備えていてもよい。また、このインク受けの機能をキャップ３ａ又は３ｂに持たせてもよい。
【００４７】
液滴吐出装置のヘッドは、図２のヘッド２ａ，２ｂのように、複数が一組になっていることが多い。例えば、図２に示すヘッド２ａ，２ｂの場合、それぞれのヘッドに２列ずつの複数のノズルを有するノズル列が配置されており、合計４個のノズル列を備えている。通常、それぞれのノズル列は、シアン、マゼンタ、イエロー、ブラックのインクを吐出するノズルである。なお、ヘッドを４個とし、それぞれのヘッドに各色のインクを吐出するノズルを形成してもよい。この場合、ヘッド毎に対応するキャップを設けてもよいし、複数のヘッドを一つのキャップでキャッピングするキャップを設けてもよい。なお、複数のキャップがあり、そのうちの一部のキャップのみが吸引ポンプを備えている場合は、キャリッジの走査によって、すべてのヘッドが吸引ポンプ付のキャップでキャッピングし、吸引できるようにしておく。
【００４８】
この液滴吐出装置は、その他にも、それぞれのヘッドやキャップのキャッピング時間やデキャッピング時間を計測する時間計測手段、それぞれのキャップへの吐出液の排出量の計測手段とその累積手段、それぞれのキャップへの吐出液の排出回数とその累積手段等を備えている。なお、キャップへの吐出液の排出量の計測手段としては、装置設計時に設定されている空吐出量や、吸引動作における吸引ポンプ駆動時間に対応するインク吸引量などから算出するものでもよいし、一度測定して、記憶装置に記憶させておいた基準量でもよい。
【００４９】
（実施形態１）
図３を参照しながら、本発明の実施形態１の液滴吐出装置の動作フローを説明する。この液滴吐出装置は、待機していたヘッドが印刷命令を受けてから印刷が終了するまでの動作は、従来の液滴吐出装置の動作フローと類似している。しかし、実施形態１の液滴吐出装置では、印刷実行時間や維持回復動作における空吐出量、吸引ポンプによる吸引量などを計測している。
【００５０】
動作フローを、具体的にステップを追って、図２も参照しながら説明する。液滴吐出装置のヘッドは、印刷待機状態では、すべてキャップで覆われている。そして、液滴吐出装置は、印刷命令を受ける（ステップＳ１）と、まず最初の維持回復動作をする（ステップＳ２）。この維持回復動作は、通常はキャップ３ａ，３ｂ内での空吐出をすればよい。しかし、休止期間が長い場合は、ヘッド内のインクの粘度上昇が大きいので吸引装置による吸引を行ってもよい。吸引動作は専用の吸引キャップ３ａを備えた吸引ポンプ６で実施する。この場合、ヘッド２ａ，２ｂを順に吸引キャップ３ａによってキャッピングして吸引動作を実施する。
【００５１】
最初の維持回復動作が終了したら、本来の目的である印刷動作に入る（ステップＳ３）。印刷動作中に所定の維持回復条件に達する（ステップＳ４のＹ）と、印刷を中断してヘッドの維持回復動作（ステップＳ２）を行う。この維持回復動作においても空吐出の場合と、吸引動作の場合がある。さらに、ワイパーブレードによるノズル周辺の清掃を含む場合もある。これらの維持回復動作は、ステップＳ４のＹにおける維持回復条件の中に複数の条件が設定されていることで選択できる。なお、維持回復条件とは、例えば、前回の維持回復動作からの印刷時間やインク吐出量、インクの種類、印刷中の温度湿度のような環境条件などにより設定される。また、この維持回復条件は、ヘッド毎に設定してもよいし、ヘッド全体を一括して設定してもよい。本発明の吐出装置においては、後述するようにキャップを吐出液で湿潤させておく必要があるため、複数のキャップがあれば、それぞれのキャップに順に空吐出することが好ましい。
【００５２】
維持回復動作が終了したら、又印刷に戻り（ステップＳ３）、印刷終了になるまで、維持回復動作を挟みながら印刷を実行する（ステップＳ５のＮ）。一連の印刷及び維持回復動作中、それぞれのキャップ３ａ，３ｂに空吐出された吐出液の量を算出して累積しておく。１回毎の空吐出量は、計測してもよいが、ヘッド毎、さらに詳しくはノズル毎に設定されているので、その設定値を利用して算出してもよい。また、印刷命令を受けてから印刷終了までの時間、すなわちそれぞれのキャップにおいてヘッドが上部に密着していなかった時間（ヘッドのデキャップ時間）も計測しておく。
【００５３】
印刷終了になったら（ステップＳ５のＹ）、計測していたキャップのデキャップ時間が所定値（第１の所定時間）以上か否かを判定する（ステップＳ６）。この判定は、キャップ毎に行ってもよいし、キャップ全体を同一とみなして判定してもよい。また、キャップのデキャップ時間の所定値は、キャップ毎に異なっていてもよいし、同じでもよい。デキャップ時間が所定値未満であれば（ステップＳ６のＮ）、経過時間が所定値（第２の所定時間）以上かを判定する（ステップＳ７）。この判定も、キャップ毎に行ってもよいし、キャップ全体を同一とみなして判定してもよい。ここで、経過時間とは、原則的には、前回の印刷を実行したときに、印刷が終了しヘッドにキャッピングしたときを基準時とした経過時間である。言い換えれば、キャッピング時間とデキャッピング時間の合計時間である。この所定値（第２の所定時間）は、キャップ３ａとキャップ３ｂとで異なっていてもよい。すなわち、キャップ３ａにおいては、空吐出のほかに吸引動作が実施されており、吐出液がキャップ３ａ内に保持され難いので、所定値を短めにすることがある。また、印刷中の維持回復動作において、一方のキャップ、例えばキャップ３ｂへの吐出液の排出を少なくする調整がなされていれば、キャップ３ｂに対する所定値を短くすることが好ましい。
【００５４】
この経過時間が所定値未満（ステップＳ７のＮ）であれば、さらに印刷中の吐出液の排出量が所定値以上か否かを判定する（ステップＳ８）。印刷中のそれぞれのキャップへの吐出液の排出量が所定値以上（ステップＳ８のＹ）であれば、デキャップ時間をリセットして、この時点を基準時とし、この基準時からのデキャップ時間のカウントを始める（ステップＳ９）。吐出液の排出量の所定値は、１回の維持回復動作における吐出液使用量と略同じとすることが好ましい。
【００５５】
この時点では、ヘッドはそのままキャッピングされて待機状態となるので、実質的には、次の印刷命令を受けてからのデキャップ時間がカウントされる。吐出液の排出量の所定値は、各キャップ毎に異なっているので、それぞれのキャップ毎に判定する。また、キャップ３ｂにおいては、吸引動作によって吐出液が排出されることはないので、吐出液の排出量は、キャップへの空吐出量としてもよい。
【００５６】
デキャップ時間のリセットと同時に、経過時間もリセットして基準時を更新し、経過時間のカウントを始める（ステップＳ１０）。経過時間は、リセットされたときからカウントを始め、ヘッドのキャッピング、デキャッピングの状態に関係なく計測していく。
【００５７】
さらに、吐出液の排出量もリセットしてこの基準時からの吐出液の排出量をカウントして累積していく（ステップＳ１０）。これらのリセット及びカウント開始の準備ができたら、ヘッドにキャッピング（ステップＳ１１）をして、液滴吐出装置は待機状態とする（ステップＳ１２）。なお、ここで、最後の維持回復動作をしてからキャッピングしてもよい。この場合は、ワイパーブレードによるワイピングを含む維持回復動作が好ましい。また、この時点で維持回復動作をする場合は、デキャップ時間のリセット（ステップＳ９）、経過時間のリセット（ステップＳ１０）、吐出液の排出量のリセット（ステップＳ１１）前に実施してもよい。
【００５８】
ステップ６において、キャップのデキャップ時間が所定値（第１の所定時間）以上（ステップＳ６のＹ）であった場合は、ヘッドからキャップ内への吐出液排出を行う（ステップＳ１４）。吐出液排出は、空吐出を行えばよいが、吸引動作によってもよい。吸引動作の場合は、キャップに設置した吐出液保持部材７ａから吐出液が吸引されるほど強力に吸引しない方がよい。吐出液の排出量は、インク（吐出液）の種類によって変更してもよいし、キャップのデキャップ時間によって調整してもよい。ヘッドからキャップ内への吐出液排出（ステップＳ１４）が終了したら、デキャップ時間のリセット（ステップＳ９）に戻って、上述のフローに従って基準時の更新等を実行する。
【００５９】
ステップＳ７の経過時間の判定において、経過時間が所定値（第２の所定時間）以上（ステップＳ７のＹ）であった場合、及びステップＳ１５のヘッドからキャップへの累積の排出量の判定において、排出量が所定値未満（ステップＳ８のＮ）であった場合、デキャップ時間のリセット（ステップＳ９）、経過時間のリセット（ステップＳ１０）、及び排出量のリセット（ステップＳ１１）を実施しないで、ヘッドのキャッピング（ステップ１２）に移行し、液滴吐出装置は待機状態（ステップＳ１３）とする。
【００６０】
このような印刷及び維持回復動作をすることにより、この液滴吐出装置は、前回の印刷後のキャッピングからの経過時間が短く、且つ、印刷中にキャップに排出された吐出液の排出量が所定値以上であれば、印刷終了後にキャップ中に吐出液を排出していなくても、キャップ中は吐出液により十分湿潤しているものと判断し、キャップ中に吐出液を排出したときと同じように、デキャップ時間及び経過時間のリセット（基準時の更新）、並びに排出量のリセットを実施する。これにより、次回の印刷の際に、印刷終了時の吐出液排出動作をしなくてよい場合があり、吐出液の節約につながる。なお、ヘッドの維持回復及びキャップの湿潤状態の維持については、経過時間及び排出量の判定（ステップＳ７，Ｓ８）によって管理されているので問題はない。また、第１の所定時間、第２の所定時間、維持回復操作中の吐出液の所定量については、キャップ毎に、且つヘッド毎に設定すれば、きめ細かい吐出液消費量の管理が可能である。
【００６１】
（実施形態２）
本発明の実施形態２の液滴吐出装置の印刷動作フローについて、図４を参照にしながら説明する。なお、上述の実施形態１の液滴吐出装置の印刷動作フローと重複する部分は、適宜省略して説明する。
【００６２】
この形態の液滴吐出装置の印刷動作フローは、実施形態１の液滴吐出装置の印刷動作フローのうち、印刷命令（ステップＳ１）から印刷終了（ステップＳ５のＹ）までのステップにおいては、維持回復動作（ステップＳ２）時に、ヘッドからキャップに排出した吐出液の累積量を計測する代わりに、ヘッドからキャップに空吐出や吸引動作により吐出液を排出した回数を計測している以外は、実施形態１の液滴吐出装置の印刷動作フローと同じである。なお、図４においては、図３における印刷動作フローのステップのステップ番号に２０を加えて、対応するステップのステップ番号を付けている。
【００６３】
実施形態２におけるデキャップ時間の判定（ステップＳ２６）から待機（ステップＳ３３）までも、実施形態１におけるデキャップ時間の判定（ステップＳ６）から待機（ステップＳ１３）までに対応するが、吐出液の排出回数判定（ステップＳ２８）と、吐出液の排出回数リセットカウント開始（ステップＳ３１）の二つのステップが異なっている。実施形態１では、吐出液の排出量であったが、実施形態２においては、吐出液の排出回数に変更している。それ以外の動作は、基本的に同じ動作である。
【００６４】
すでに述べたように、ヘッドからキャップに排出される吐出液は、空吐出においても、吸引動作においても、ヘッドからの１回ごとの排出量は制御されている。それ故、排出量を排出回数に変更しても、その作用効果は同じである。また、第１の所定時間、第２の所定時間、維持回復操作中の吐出液の排出の所定回数については、キャップ毎に、且つヘッド毎に設定すれば、きめ細かい吐出液消費量の管理が可能である。
【００６５】
（実施形態３）
本発明の実施形態３の液滴吐出装置の印刷動作フローについて、図５を参照にしながら説明する。なお、上述の実施形態１の液滴吐出装置の印刷動作フローと重複する部分は、適宜省略して説明する。
【００６６】
この形態の液滴吐出装置の印刷動作フローは、実施形態１の液滴吐出装置の印刷動作フローのうち、印刷命令（ステップＳ１）から印刷終了（ステップＳ５のＹ）までの印刷動作フローと同じである。なお、図５においては、図３における印刷動作フローのステップと同じステップには同じステップ番号を付けている。
【００６７】
実施形態３におけるデキャップ時間の判定（ステップＳ６）から待機（ステップＳ１３）までも、実施形態１におけるデキャップ時間の判定（ステップＳ６）から待機（ステップＳ１３）までに対応するが、実施形態３では、ステップＳ６のデキャップ時間の判定とステップＳ７の経過時間の判定の間に、経過時間に温湿度係数を乗じるステップＳ１５を含んでいる。すなわち、経過時間の判定（ステップＳ７）の前に、経過時間に温度及び／又は湿度に対応した係数を乗じて（ステップＳ１５）、経過時間の判定結果を調整する。具体的には、基準の気温及び湿度に対して、気温が高い及び／又は湿度が低いときは、係数を１より大きくして、判定対象の経過時間を長くする。一方、基準の気温及び湿度に対して、気温が低い及び／又は湿度が高いときは、係数を１より小さくして、判定対象の経過時間を短くする。これにより、基準の気温及び湿度に対して、気温が高い及び／又は湿度が低いときは、デキャップ時間、経過時間、排出量のリセットに対する制限を厳しくして、キャップ内の吐出液の蒸発速度の増加に対処する。また、基準の気温及び湿度に対して、気温が低い及び／又は湿度が高いときは、デキャップ時間、経過時間、排出量のリセットに対する制限を緩くして、吐出液排出の回数を減らし、吐出液の消費を押さえる。気温が低い及び／又は湿度が高いときは、キャップ内の吐出液の蒸発速度の小さくなるので、このようにしても問題はない。なお、この実施形態では、ステップＳ１５で経過時間に温度及び／又は湿度に対応した係数を乗じて、ステップＳ７での経過時間の判定結果を調整しているが、ステップＳ１５で、逆に経過時間の所定値（第２の所定時間）に温度及び／又は湿度に対応した係数を乗じて、ステップＳ７での経過時間の判定結果を調整してもよい。この場合は、乗じる係数は、上述の経過時間に乗じる係数と反比例の関係とあることになる。
【００６８】
（実施形態４）
本発明の実施形態４の液滴吐出装置の印刷動作フローについて、図６を参照にしながら説明する。なお、上述の実施形態２の液滴吐出装置の印刷動作フローと重複する部分は、適宜省略して説明する。
【００６９】
この形態の液滴吐出装置の印刷動作フローは、実施形態１の液滴吐出装置の印刷動作フローのうち、印刷命令（ステップＳ２１）から印刷終了（ステップＳ２５のＹ）までの印刷動作フローと同じである。なお、図６においては、図４における印刷動作フローのステップと同じステップには同じステップ番号を付けている。
【００７０】
実施形態４におけるデキャップ時間の判定（ステップＳ２６）から待機（ステップＳ３３）までも、実施形態２におけるデキャップ時間の判定（ステップＳ２６）から待機（ステップＳ３３）までに対応するが、実施形態４では、ステップＳ２６のデキャップ時間の判定とステップＳ２７の経過時間の判定の間に、経過時間に温湿度係数を乗じるステップＳ３５を含んでいる。すなわち、経過時間の判定（ステップＳ２７）の前に、経過時間に温度及び／又は湿度に対応した係数を乗じて、経過時間の判定結果を調整する。具体的には、基準の気温及び湿度に対して、気温が高い及び／又は湿度が低いときは、係数を１より大きくして、判定対象の経過時間を長くする。一方、基準の気温及び湿度に対して、気温が低い及び／又は湿度が高いときは、係数を１より小さくして、判定対象の経過時間を短くする。これにより、基準の気温及び湿度に対して、気温が高い及び／又は湿度が低いときは、デキャップ時間、経過時間、排出量のリセットに対する制限を厳しくして、キャップ内の吐出液の蒸発速度の増加に対処する。また、基準の気温及び湿度に対して、気温が低い及び／又は湿度が高いときは、デキャップ時間、経過時間、排出量のリセットに対する制限を緩くして、吐出液排出の回数を減らし、吐出液の消費を押さえる。気温が低い及び／又は湿度が高いときは、キャップ内の吐出液の蒸発速度の小さくなるので、このようにしても問題はない。なお、この実施形態では、ステップＳ３５で経過時間に温度及び／又は湿度に対応した係数を乗じて、ステップＳ２７での経過時間の判定結果を調整しているが、ステップＳ３５で、逆に経過時間の所定値（第２の所定時間）に温度及び／又は湿度に対応した係数を乗じて、ステップＳ２７での経過時間の判定結果を調整してもよい。この場合は、乗じる係数は、上述の経過時間に乗じる係数と反比例の関係とあることになる。
【００７１】
（吐出液排出走査における吐出液の排出量）
印刷が終了してから吐出液をキャップ内に排出する場合（例えば図３におけるステップＳ１４）は、ヘッドからキャップ内への空吐出が好ましい。この空吐出の吐出量は、少なすぎると、キャップ内の吐出液保持材を十分湿潤させられず、キャップ内の湿度を保つことができない。この為、この空吐出の吐出量はある程度の量が必要となる。図７に示すように、空吐出された量が、第１の所定時間に対応する印刷中の維持回復動作によってキャップ中に排出される排出量と同等の量以上であれば、十分にキャップ内の吸収体の湿度は保持することができる。図７には、左側に終了してから吐出液をキャップ内に排出する場合の排出量（空吐出量）を、右側に第１の所定時間に対応する印刷中の維持回復動作によってキャップ中に排出される排出量（吸引動作により排出される排出量と空吐出により排出される排出量の合計排出量）を表しており、左側の排出量（空吐出量）が右側の吸引量と空吐出量と同じか、これ以上であれば十分であることを示している。なお、インクの節約の観点からは、同じであることが望ましい。また、空吐出された排出量は、インク種の特性によって乾燥度合いが変わる場合もあり、インク種毎に係数を乗じて最適な排出量を算出しても良い。
【００７２】
また、実施形態１、及び３の液滴吐出装置においては、ステップＳ８に示した吐出液の排出量の所定値は、図７における左側の排出量（空吐出量）と略等しいことが好ましい。排出量の所定値と図７における左側の排出量（空吐出量）とが等しければ、キャップ内の吐出液の保持量がほぼ等しくなり、ほぼ同じ湿潤状態が保たれる。
【００７３】
（ヘッドの撥水処理）
本発明で用いることができるヘッドのノズル面は、撥水性を有する材料でコーティングされていることが好ましい。撥水性を有する材料でコーティングされていることによって、汚れの原因となる吐出液（インク）が弾かれ、インクがノズル面に付着することが抑制される。このため、汚れが固化することによって生じる粒によりノズルや吐出口が閉塞されることが防がれる。仮に付着したとしても、その結合力は弱い。
【００７４】
また、インクの表面張力が低い場合、一般的なノズル面ではノズル近傍までインクが拡がってしまい、正常なメニスカスが形成されない場合がある。このような状態ではインクの吐出曲がりが生じたり、不吐出が生じたりしてしまう。しかし、ノズル面が撥水性を有する材料でコーティングされていれば、インクはノズル近傍に拡がらずにノズル内に留まるため、正常な吐出ができる。
【００７５】
撥水材膜の形成は、真空下でのノズル面への蒸着であっても良いし、適当な溶媒に溶解させて塗布しても良い。前者について言えば、例えば、真空排気ポンプにて真空槽内を所定の真空度まで排気したのち、撥水性材料を４００℃で気化せしめて真空槽に導入し、真空雰囲気を調整するとともに、高周波電源から放電電極に電力を供給してＲＦグロー放電を起こさせ、プラズマ雰囲気下に前記液体吐出ヘッドのオリフィス面を表面処理して、オリフィス面上に前記撥水膜を形成することができる。尚、材料および、真空槽内の真空度によっては、常温〜２００℃程度の低温での撥水膜を形成することも可能である。また、後者について言えば、例えば、撥水性材料を有機溶剤に溶解させ、ワイヤーバーやドクターブレードなどの治具でコーティングすることができるし、スピンコーターによって回転塗布することもできるし、スプレーによって塗布することもできるし、塗工液を満たした容器に浸漬塗工（ディッピング）することもできる。
【００７６】
撥水性材料としては、フッ素原子を有する有機化合物、特にフルオロアルキル基を有する有機物、ジメチルシリキサン骨格を有する有機ケイ素化合物等が使用できる。
【００７７】
フッ素原子を有する有機化合物としては、フルオロアルキルシラン、フルオロアルキル基を有するアルカン、カンボン酸、アルコール、アミン等が望ましい。具体的には、フルオロアルキルシランとしては、ヘプタデカフルオロ−１、１、２、２−テトラハイドロデシルトリメトキシシラン、ヘプタデカフルオロ−１、１、２、２−テトラハイドロトリクロオシラン；フルオロアルキル基を有するアルカンとしては、オクタフルオロシクロブタン、パーフルオロメチルシクロヘキサン、パーフルオロ−ｎ−ヘキサン、パーフルオロ−ｎ−ヘプタン、テトラデカフルオロ−２−メチルペンタン、パーフルオロドデカン、パーフルオロオイコサン；フルオロオアルキル基を有するカルボン酸としては、パーフルオロデカン酸、パーフルオロオクタン酸；フルオロアルキル基を有するアルコールとしては、３、３、４、４、５、５、５−ヘプタフルオロ−２−ペンタノール；フルオロアルキル基を有するアミンとしては、ヘプタデカフルオロ−１、１、２、２−テトラハイドロデシルアミン等が挙げられる。ジメチルシロキサン骨格を有する有機ケイ素化合物としては、α，ｗ−ビス（３ーアミノプロピル）ポリジメチルシロキサン、α、ｗ−ビス（３ーグリシドキシプロピル）ポリジメチルシロキサン、α，ｗ−ビス（ビニル）ポリジメチルシロキサン等が挙げられる。
【００７８】
また、別の撥水性材料として、シリコン原子を有する有機化合物、特にアルキルシロキサン基を有する有機化合物が使用できる。アルキルシロキサン基を有する有機化合物としては、含アルキルシロキサンエポキシ樹脂組成物を構成する分子中にアルキルシロキサン基、及び環状脂肪族エポキシ基を２個以上有する含アルキルシロキサンエポキシ樹脂としては、例えば、下記一般式（ａ）及び（ｂ）で表される構造単位を含む高分子化合物が挙げられる。
【００７９】
【化１】
2010076204.tif 000003
【００８０】
この高分子化合物は、他の撥水性化合物と併用する際にバインダーとしての機能も果たす。つまり、撥インク性の組成物の塗布適性を高め、溶剤蒸発後の乾燥性を高める乾燥塗膜としての作業性を向上させる機能も与える。
【００８１】
撥水膜の膜厚は、５μｍ以下が好ましく、より好ましくは２μｍ以下である。膜厚が５μｍを超える場合、塗膜の乾燥が遅くなり生産性が悪くなったり、機械的耐久性が損なわれたりする場合があり、維持回復動作のワイピングしたときに剥がれが生じる恐れがある。
【産業上の利用可能性】
【００８２】
本発明の液滴と出装置は、画像形成装置に利用されているが、例えば、その他のパターン形成画像形成においても有効に適用することができる。
【図面の簡単な説明】
【００８３】
【図１】本発明の液滴吐出装置を備えた画像形成装置
【図２】本発明の液滴吐出装置
【図３】本発明の液滴吐出装置の動作のフロー図（１）
【図４】本発明の液滴吐出装置の動作のフロー図（２）
【図５】本発明の液滴吐出装置の動作のフロー図（３）
【図６】本発明の液滴吐出装置の動作のフロー図（４）
【図７】吐出液のキャップ内への排出量のイメージ
【図８】従来の液滴吐出装置の動作のフロー図
【符号の説明】
【００８４】
１  ：画像形成装置
２  ：キャリッジ
２ａ，２ｂ  ：ヘッド
３  ：維持回復装置
３ａ，３ｂ  ：キャップ
４  ：廃液タンク
５  ：空吐出受け
６  ：吸引ポンプ
７ａ，７ｂ  ：吐出液保持材
８ａ，８ｂ  ：吐出液排出路
【図１】
2010076204.tif 000004
【図２】
2010076204.tif 000005
【図３】
2010076204.tif 000006
【図４】
2010076204.tif 000007
【図５】
2010076204.tif 000008
【図６】
2010076204.tif 000009
【図７】
2010076204.tif 000010
【図８】
2010076204.tif 000011